(57)【要約】【課題】ピストンピン孔とピストンピンとの間における摩擦抵抗を増大させずに、その間の潤滑性能を確保すること。【解決手段】ピストンピンが挿通されるピストンピン孔３の内周面に当該ピストンピン孔３の外側から内側に向けた少なくとも１本のオイル供給溝４を形成すると共に、このオイル供給溝４の溝壁面に複数本の条痕溝５を形成すること。これにより、ピストンピンの外周面と接しないオイル供給溝４の溝壁面の条痕溝５でオイルが保持され、そのオイルがピストン１の上下動に伴ってピストンピン孔３の内周面とピストンピンの外周面との間に供給される。【選択図】        図２
2006009768.tif 000002
【特許請求の範囲】
【請求項１】
ピストンピンが挿通されるピストンピン孔の内周面に当該ピストンピン孔の外側から内側に向けた少なくとも１本のオイル供給溝を形成すると共に、該オイル供給溝の溝壁面に複数本の条痕溝を形成したことを特徴とする内燃機関用ピストン。
【請求項２】
前記条痕溝を前記オイル供給溝の両端部に設けると共に、該オイル供給溝の溝壁面の略中央部分に前記条痕溝よりも幅広のオイル保持溝を形成したことを特徴とする請求項１記載の内燃機関用ピストン。
【請求項３】
ピストンピンが挿通されるピストンピン孔の内周面に当該ピストンピン孔の外側から内側に向けた少なくとも１本のオイル供給溝を形成すると共に、該オイル供給溝の溝壁面に螺旋状の条痕溝を形成し、前記ピストンピン孔の周縁部分に面取り部を設けたことを特徴とする内燃機関用ピストン。
【発明の詳細な説明】
【技術分野】
【０００１】
本発明は、ピストンピン孔とピストンピンとの間における潤滑性能と摩擦性能の両立を図り得る内燃機関用ピストンに関する。
【背景技術】
【０００２】
一般に、内燃機関に用いられるピストンは、そのピストンピン孔とコネクティングロッドの小端部に形成された小端孔とにピストンピンを挿通することによってコネクティングロッドに保持され、このコネクティングロッドに連結されたクランクシャフトから軸出力を発生させる。
【０００３】
ここで、このピストンが上下動する際にはピストンピン孔の内周面とピストンピンの外周面とが摺動するので、何等の策も講じなければ、その摺動抵抗により異常摩耗や焼き付きが生じてしまう。
【０００４】
そこで、従来、ピストンピン孔の内周面とピストンピンの外周面との間で十分なオイルを保持して潤滑性能を確保すべく、そのピストンピン孔の内周面に規則的な条痕加工を施す、という技術が下記の特許文献１に開示されている。また、これと同様の観点から、下記の特許文献２には、ピストンピン孔の周壁（内周面）に条痕を形成する、という技術が開示されている。
【０００５】
【特許文献１】特開平５−５４６０号公報
【特許文献２】実開平４−８８５８号公報
【特許文献３】実開平７−８５４３号公報
【発明の開示】
【発明が解決しようとする課題】
【０００６】
しかしながら、上記特許文献１，２に開示されたピストンにおいては、条痕溝にオイルが保持されるので異常摩耗や焼き付きの抑制を図り得るが、その反面、条痕溝によりピストンピン孔の内周面とピストンピンの外周面との間の接触面積が小さくなるので、その間の面圧の上昇に伴い摩擦抵抗が大きくなってしまう、という不都合があった。
【０００７】
そして、その摩擦抵抗の増大により出力低下や燃料消費量増加等の弊害を生じさせてしまう一方、条痕溝による潤滑性能の向上代が摩擦抵抗の増大により相殺され、結局の所、異常摩耗や焼き付きが発生してしまう。
【０００８】
そこで、本発明は、かかる従来例の有する不都合を改善し、ピストンピン孔とピストンピンとの間における摩擦抵抗を増大させずとも、その間の潤滑性能を確保し得る内燃機関用ピストンを提供することを、その目的とする。
【課題を解決するための手段】
【０００９】
上記目的を達成する為、請求項１記載の発明では、ピストンピンが挿通されるピストンピン孔の内周面に当該ピストンピン孔の外側から内側に向けた少なくとも１本のオイル供給溝を形成すると共に、このオイル供給溝の溝壁面に複数本の条痕溝を形成している。
【００１０】
この請求項１記載の発明によれば、ピストンピンの外周面と接しないオイル供給溝の溝壁面の条痕溝でオイルが保持され、そのオイルがピストンの上下動に伴ってピストンピン孔の内周面とピストンピンの外周面との間に供給される。
【００１１】
また、上記目的を達成する為、請求項２記載の発明では、上記請求項１記載の内燃機関用ピストンにおいて、前記条痕溝を前記オイル供給溝の両端部に設けると共に、そのオイル供給溝の溝壁面の略中央部分に前記条痕溝よりも幅広のオイル保持溝を形成している。
【００１２】
この請求項２記載の発明によれば、オイル保持溝に多量のオイルが保持されるので、例えばピストンピン孔の内周面とピストンピンの外周面との間における面圧が高い高回転時等の状況下においても、その間へのオイル供給が行われるので、異常摩耗や焼き付きを有効に抑制することができる。
【００１３】
また、上記目的を達成する為、請求項３記載の発明では、ピストンピンが挿通されるピストンピン孔の内周面に当該ピストンピン孔の外側から内側に向けた少なくとも１本のオイル供給溝を形成すると共に、このオイル供給溝の溝壁面に螺旋状の条痕溝を形成し、前記ピストンピン孔の周縁部分に面取り部を設けている。
【００１４】
この請求項３記載の発明によれば、面取り部で無駄なく回収されたオイルはピストンピン孔の内周面とピストンピンの外周面との間に供給され、また、螺旋状の条痕溝に導かれてオイル供給溝の全体にオイルが行き渡る。そして、そのオイルがピストンピンの外周面と接しないオイル供給溝の溝壁面の螺旋状の条痕溝で保持され、ピストンの上下動に伴ってピストンピン孔の内周面とピストンピンの外周面との間に供給される。
【発明の効果】
【００１５】
本発明に係る内燃機関用ピストンは、ピストンピン孔の内周面とピストンピンの外周面との間において摩擦抵抗を増大させずとも、その間にオイルを供給して潤滑性能を確保することができる。そして、これにより、その間での異常摩耗や焼き付きが抑制され、更に燃料消費量の低減や出力向上等の種々の効果を奏することができる。
【発明を実施するための最良の形態】
【００１６】
以下に、本発明に係る内燃機関用ピストンの実施例を図面に基づいて詳細に説明する。尚、この実施例によりこの発明が限定されるものではない。
【実施例１】
【００１７】
本発明に係る内燃機関用ピストンの実施例１を図１から図３に基づいて説明する。
【００１８】
図１及び図２の符号１は、本実施例１の内燃機関用ピストンを示す。
【００１９】
このピストン１のピストンヘッド部には、ピストン頂面側から順に二つのコンプレッションリング溝２ａ，２ｂとオイルリング溝２ｃとが形成されており、その夫々に、主として燃焼室の気密性を保持するコンプレッションリング（図示略）とシリンダボア壁面の油膜の最適化を図るオイルリング（図示略）とが取り付けられる。
【００２０】
また、このピストン１には、その下方に、コネクティングロッド（図示略）の小端部と連結すべくピストンピン（図示略）が挿通される二つのピストンピン孔３が形成されている。
【００２１】
先ず、本実施例１のピストン１においては、図１及び図２に示す如く、夫々のピストンピン孔３の内周面に２本の溝４が形成されている。具体的に、本実施例１の溝４は、ピストンピン孔３の外側（ピストン外側）から内側（ピストン内部側）に向けてその軸線方向と略平行に形成されたものであって、そのピストンピン孔３の上側の内周面に設けられている。
【００２２】
このようにピストンピン孔３の内周面に溝４を設けることによって、ピストン１の外壁面や内壁面を流れ落ちてきたオイルが夫々の溝４の中に流入し、この夫々の溝４からピストンピン孔３の内周面とピストンピンの外周面との間にオイルが供給される。以下、その溝４を「オイル供給溝４」という。
【００２３】
ここで、本実施例１のオイル供給溝４については、図１に示す如く、断面が弧状に形成され、且つピストンピン孔３の上側の内周面に２つ設けられている。これが為、ピストン１が上下動する際にピストンピン孔３の内側の内周面で生じるピストンピンからの過大な応力が緩和され、ピストン１やピストンピンの破損を防ぐことができる。即ち、本実施例１のオイル供給溝４は、ピストンピン孔３の内周面とピストンピンの外周面との間へのオイル供給とその間での応力緩和とを図り得る所謂サイドリリーフ溝として機能する。
【００２４】
そこで、その過大な応力が発生しない又は他の手段により緩和し得るのであれば、オイル供給溝４は、本実施例１の如く必ずしも断面形状が弧状である必要はなく、また、必ずしもピストンピン孔３の上側の内周面に設ける必要はない。更に、その本数についても、所望のオイル量を供給できるのであれば１本でもよく、また、３本以上設けてもよい。
【００２５】
このように、本実施例１のピストン１においては、そのオイル供給溝４によりピストンピン孔３の内周面とピストンピンの外周面との間にオイルが供給されるので、その間における潤滑性能を確保することができるが、一方で、オイル供給溝４へと流入したオイルは、流入後にピストンピン孔３の内周面とピストンピンの外周面との間へと即座に流出してしまう。
【００２６】
これが為、オイル供給溝４へオイルを常時流入させることによりその間の油膜切れを防ぐことが好ましいが、高回転時等の運転状態に拘わらず常に所望量のオイルがオイル供給溝４に流入するとは限らないので、油膜切れによる異常摩耗や焼き付きが生じる虞がある。また、オイル供給溝４のオイルは、その殆どが機関停止に伴ってピストンピン孔３の内周面とピストンピンの外周面との間に流出し、その後にオイルパン（図示略）へと戻されてしまうので、再始動時に異常摩耗や焼き付きが起こり易い。
【００２７】
そこで、本実施例１にあっては、オイル供給溝４へと流入したオイルを保持すべく、その全面に渡って図２に示す複数本の条痕溝５を形成する。具体的に、本実施例１における夫々の条痕溝５は、図２及び図３に示す如く、ピストンピン孔３の軸線方向に対して略垂直で且つ略等間隔にオイル供給溝４の溝壁面へ形成される。尚、その条痕溝５は、必ずしもピストンピン孔３の軸線方向に対して略垂直でなくともよく、また等間隔である必要も無い。
【００２８】
このようにオイル供給溝４に条痕溝５を設けることによって、オイル供給溝４へと流入したオイルは、夫々の条痕溝５の中に保持される一方、その残りがピストンピン孔３の内周面とピストンピンの外周面との間に供給される。
【００２９】
これが為、オイル供給溝４に所望量のオイルが流入しない場合においても、ピストンピン孔３の内周面とピストンピンの外周面との間への安定したオイル供給が可能になり、その間での油膜切れを防ぐことができるので、ピストンピン孔３やピストンピンの異常摩耗や焼き付きを抑制することができる。特に、高回転時等の面圧が高い状況下や再始動時においては異常摩耗や焼き付きが起こり易いが、かかる場合にあっても、その間に安定してオイルが供給され、これらの異常摩耗や焼き付きを有効に抑制し得る。
【００３０】
また、その間の潤滑性能は如何なる状況下においても確保されるので、ピストン１の首振り（特に、上死点や下死点における姿勢変化時の首振り）がスムーズに行われ、シリンダボア壁面との間の摺動抵抗が減少する。これが為、燃料消費量の低減や高回転化による出力向上、更にはピストン１とシリンダボア壁面との間の衝突音（所謂ピストンスラップ）の低減をも図ることができる。
【００３１】
更にまた、条痕溝５にオイルが保持されるので、油温が低い再始動時における内燃機関の起動トルクが低下し、始動性が向上する。そして、これが為、スタータやバッテリ等の機関始動に要する機器類の小容量化が図れる。
【００３２】
更に、本実施例１にあってはピストンピンの外周面と接しないオイル供給溝４の溝壁面に条痕溝５が形成されているので、その条痕溝５は、ピストンピン孔３の内周面とピストンピンの外周面との間における摩擦抵抗に何等の影響も及ぼさない。ここで、ピストンピン孔３の内周面やピストンピンの外周面は、その面粗さを小さくすることが好ましく、これにより、これらの間の摩擦抵抗を低減することができる。
【００３３】
以上示した如く、本実施例１のピストン１によれば、ピストンピン孔３の内周面とピストンピンの外周面との間の摩擦抵抗を増大させることなく、その間にオイルを高回転時等の運転状態に影響されずに安定供給して潤滑性能を確保することができる。
【実施例２】
【００３４】
本発明に係る内燃機関用ピストンの実施例２について説明する。
【００３５】
本実施例２のピストン１は、前述した実施例１のピストン１において条痕溝５を図４に示す条痕溝１５ａとオイル保持溝１５ｂとに変更したものである。
【００３６】
具体的に、本実施例２にあっては、オイル供給溝４の溝壁面の両端部（ピストンピン孔３に対しての外側と内側）に夫々複数本の条痕溝１５ａを形成する。この夫々の条痕溝１５ａは、ピストンピン孔３の軸線方向に対して略垂直で且つ略等間隔に形成された実施例１の条痕溝５と同様のものである。尚、本実施例２にあっても、その条痕溝１５ａは、必ずしもピストンピン孔３の軸線方向に対して略垂直でなくともよく、また等間隔である必要も無い。
【００３７】
また、本実施例２にあっては、その外側における夫々の条痕溝１５ａと内側における夫々の条痕溝１５ａとの間，即ちオイル供給溝４における略中央部分の溝壁面に少なくとも１本のオイル保持溝１５ｂを形成する。このオイル保持溝１５ｂは、上記条痕溝１５ａと同様にピストンピン孔３の軸線方向に対して略垂直に形成されたものであって、その条痕溝１５ａよりも溝幅（ピストンピン孔３の軸線方向の幅）を広くしている。本実施例２にあっては、図４に示す如くオイル保持溝１５ｂが１本のものを例示する。
【００３８】
このように、オイル供給溝４の溝壁面において、その外側と内側に複数本の条痕溝１５ａを形成すると共に、その略中央部分に条痕溝１５ａよりも幅広のオイル保持溝１５ｂを形成することによって、そのオイル保持溝１５ｂに多量のオイルが流入し得る一方、その外側と内側の条痕加工部分が壁となってオイル保持溝１５ｂ内のオイルの条痕加工部分への流出を防ぐことができる。即ち、本実施例２にあっては、実施例１よりも多くのオイルを保持することができる。
【００３９】
これが為、本実施例２のピストン１は、前述した実施例１の効果をより有効に図り得る。
【００４０】
即ち、多量のオイルを保持できるので、ピストンピン孔３の内周面とピストンピンの外周面との間へのオイル供給の安定性が高まり、その間の油膜切れを回避して有効にピストンピン孔３やピストンピンの異常摩耗や焼き付きを抑制することができる。このように常時安定した潤滑性能を得ることができるので、本実施例２のピストン１は、高回転時等の面圧が高い状況下や再始動時においても確実に異常摩耗や焼き付きを抑制することができる。
【００４１】
また、ピストン１の首振り（特に、上死点や下死点における姿勢変化時の首振り）がよりスムーズになり、シリンダボア壁面との間の摺動抵抗が更に減少するので、燃料消費量の低減等の効果が更に向上する。
【００４２】
更にまた、オイル保持溝１５ｂにより多量のオイルが保持されるので、油温が低い再始動時における内燃機関の起動トルクの更なる低下が図れて始動性が向上し、スタータやバッテリ等の機関始動に要する機器類の小容量化を有効に図ることができる。
【００４３】
更に、本実施例２にあってもピストンピンの外周面と接しないオイル供給溝４の溝壁面に条痕溝１５ａ及びオイル保持溝１５ｂが形成されているので、その条痕溝１５ａやオイル保持溝１５ｂが設けられていることによって、ピストンピン孔３の内周面とピストンピンの外周面との間における摩擦抵抗が増大しない。
【００４４】
以上示した如く、本実施例２のピストン１によれば、ピストンピン孔３の内周面とピストンピンの外周面との間の摩擦抵抗を増大させずに多量のオイルを保持し、そのオイルを高回転時等の運転状態に影響されることなく確実にその間へと供給することができ、より安定した潤滑性能を確保することができる。
【実施例３】
【００４５】
本発明に係る内燃機関用ピストンの実施例３について説明する。
【００４６】
本実施例３のピストン１は、前述した実施例１のピストン１において条痕溝５を図５に示す第１及び第２の条痕溝２５ａ，２５ｂに変更したものである。
【００４７】
具体的に、本実施例３にあっては、オイル供給溝４における外側と内側の溝壁面に夫々複数本の第１条痕溝２５ａを形成する。この夫々の第１条痕溝２５ａは、ピストンピン孔３の軸線方向に対して略垂直で且つ略等間隔に形成された実施例１の条痕溝５と同様のものである。
【００４８】
また、本実施例３にあっては、その外側における夫々の第１条痕溝２５ａと内側における夫々の第１条痕溝２５ａとの間，即ちオイル供給溝４における略中央部分の溝壁面に複数本の第２条痕溝２５ｂを形成する。この第２条痕溝２５ｂは、上記第１条痕溝２５ａと同様にピストンピン孔３の軸線方向に対して略垂直で且つ略等間隔に形成されたものであって、その底部２５ｂ1からオイル供給溝４の溝底までの距離を第１条痕溝２５ａの底部２５ａ1からオイル供給溝４の溝底までの距離と略同等にし、その第１条痕溝２５ａよりも溝深さを浅くしたものである。
【００４９】
即ち、本実施例３の第１条痕溝２５ａは、前述した実施例２の条痕溝１５ａと略同等の位置に略同等の形状で形成されたものである。また、本実施例３の第２条痕溝２５ｂは、実施例２のオイル保持溝１５ｂよりも浅めのオイル保持溝の底部に条痕加工を施したもの、換言すれば、実施例２のオイル保持溝１５ｂに条痕形状の複数の山を立設したものである。
【００５０】
これが為、本実施例３のピストン１においては、オイル供給溝４の溝壁面における略中央部分でのオイル保持量は実施例２よりも多少低下するが、その第２条痕溝２５ｂによって実施例２よりもオイルの保持度合いが向上する，即ちオイルを保持し続けることができるので、より安定した潤滑性能を常時得ることができる。
【００５１】
これにより、如何なる運転状態においても更に確実に異常摩耗や焼き付きを抑制することができ、また、スタータやバッテリ等の機関始動に要する機器類の小容量化や燃料消費量の低減等の実施例２における効果をより有効に図ることができる。
【００５２】
また、本実施例３にあってもピストンピンの外周面と接しないオイル供給溝４の溝壁面に第１及び第２の条痕溝２５ａ，２５ｂが形成されているので、その第１及び第２の条痕溝２５ａ，２５ｂが設けられていることによって、ピストンピン孔３の内周面とピストンピンの外周面との間における摩擦抵抗が増大しない。
【００５３】
以上示した如く、本実施例３のピストン１によれば、ピストンピン孔３の内周面とピストンピンの外周面との間の摩擦抵抗を増大させることなく、多量のオイルを長期に渡って保持することができるので、その間にオイルを高回転時等の運転状態等に拘わらず更に確実に供給することができ、より安定した確実なる潤滑性能を確保することができる。
【実施例４】
【００５４】
本発明に係る内燃機関用ピストンの実施例４について説明する。
【００５５】
図６に、本実施例４のピストン１が具備するピストンピン孔３をピストン１の内側から見た図を示す。この本実施例４のピストン１は、前述した各実施例１〜３と同様に、夫々のピストンピン孔３における上側の内周面に２本のオイル供給溝４が形成されている。
【００５６】
ここで、ピストン１の外壁面や内壁面を流れ落ち、オイル供給溝４から流入したオイルは、例えばその流入量が少ない場合やピストン１とシリンダボア壁面との間の油圧が低い場合に、オイル供給溝４の中央部分にまで十分に達し得ないことも考えられる。
【００５７】
そこで、本実施例４のピストン１においては、その夫々のオイル供給溝４の溝壁面に、ピストンピン孔３の内側から外側（又は外側から内側）に向けて図７に示す１本の螺旋状の条痕溝３５を形成する。
【００５８】
これにより、オイル供給溝４から流入したオイルは、その螺旋状の条痕溝３５に導かれてオイル供給溝４の中央部分にまで到達し易くなる。これが為、例えば上記の如きオイル流入量の少ない場合等においてもオイル供給溝４の全体にオイルを行き渡らせることができ、オイル供給溝４の全体で確実にオイルを保持させることができるので、好適な潤滑性能を確保し得る。
【００５９】
ここで、このような螺旋状の条痕溝３５においては、オイル供給溝４へのオイルの流入量が多い程、オイル供給溝４の中央部分へとオイルが導かれ易くなる。
【００６０】
そこで、本実施例４のピストン１においては、ピストン１の内壁面から流れ落ちてきたオイルを少しでも多く回収し得るように、図６及び図７に示す如くピストンピン孔３の内側における周縁部分に面取り部６を設ける。この面取り部６は、少なくともオイル供給溝４よりも上側で形成されることが好ましく、これにより、その面取り部６から回収されたオイルがピストンピン孔３の内周面とピストンピンの外周面との間を経てオイル供給溝４に流入する。
【００６１】
これが為、オイル供給溝４には、ピストン１の外壁面や内壁面から直接流入するオイルだけでなく、上記面取り部６からピストンピン孔３やピストンピンを介して流入するオイルも加わって全体のオイル流入量が増加するので、更にオイル供給溝４の中央部分へとオイルが導かれ易くなり、より好適に潤滑性能を確保することができる。
【００６２】
また、その面取り部６からはオイルがピストンピン孔３の内周面とピストンピンの外周面との間に直接供給されるので、上記螺旋状の条痕溝３５による効果と相俟って潤滑性能の向上を図ることができる。
【００６３】
更に、本実施例４にあってもピストンピンの外周面と接しないオイル供給溝４の溝壁面に螺旋状の条痕溝３５が形成されているので、その螺旋状の条痕溝３５が設けられていることによって、ピストンピン孔３の内周面とピストンピンの外周面との間における摩擦抵抗が増大しない。ここで、ピストン１の上下動時にはピストンピンの変形により当該ピストンピンと面取り部６とが接することも考えられるが、このことによって摩擦抵抗の増大はない。仮に摩擦抵抗が増大するのであれば、ピストンピンの外周面と共に面取り部６についても面粗さを小さくすればよい。
【００６４】
このようなことから、本実施例４のピストン１によれば、ピストンピン孔３の内周面とピストンピンの外周面との間の摩擦抵抗を増大させることなく、ピストン１の内壁面から流れ落ちてきたオイルの有効利用が図れる，即ちそのオイルをピストンピン孔３の内周面とピストンピンの外周面との間やオイル供給溝４へと無駄なく供給することができる。これが為、本実施例４のピストン１は、摩擦抵抗を抑制しつつ潤滑性能の向上が図れ、これにより、ピストンピン孔３やピストンピンの異常摩耗や焼き付きを抑制し、更に、燃料消費量の低減や出力向上、スタータやバッテリ等の機関始動に要する機器類の小容量化を図ることができる。
【００６５】
ここで、本実施例４の面取り部６は、図６に示す如く、ピストンピン孔３の内側における２つのオイル供給溝４で挟まれた上方の周縁部分にコニカル加工により設けられている。これが為、ピストンピン孔３やピストンピンが変形する際の接触応力が緩和され、ピストン１やピストンピンの破損を防ぐことができる。
【００６６】
本実施例４にあっては面取り部６をピストンピン孔３の内側にのみ設けたが、その面取り部６は、上記の本実施例４と同様の位置関係でピストンピン孔３の外側にも設けてもよく、また、ピストンピン孔３の外側のみに設けてもよい。また、その面取り部６はオイル供給溝４に設けてもよく、これにより、オイル供給溝４へと直接流入するオイルの量が増加されるので、上記の如き効果をより確実なるものとすることができる。
【００６７】
更に、本実施例４にあってはオイル供給溝４に螺旋状の条痕溝３５を設けているが、これに替えて、前述した実施例１の図２に示す条痕溝５をピストンピン孔３の内側から外側に向けて傾斜させたものを設けてもよい。これによれば、オイル供給溝４に流入したオイルの流れは、傾斜した条痕溝に導かれて内側から外側又は外側から内側へと活発化するので、螺旋状の条痕溝３５と同様の効果を奏することができる。
【００６８】
尚、以上示した各実施例１〜４においてはピストンピン孔３の軸線方向と略平行のオイル供給溝４を例示したが、必ずしもこれに限定するものではなく、そのオイル供給溝は、ピストンピン孔３の外側と内側とが連通するものであれば何れの形状のものでもよい。
【産業上の利用可能性】
【００６９】
以上のように、本発明に係る内燃機関用ピストンは、ピストンピン孔とピストンピンとの間における潤滑性能について摩擦抵抗を増大させずとも確保し得る技術として有用である。
【図面の簡単な説明】
【００７０】
【図１】本発明に係る内燃機関用ピストンをピストンピン孔側から見た側面図である。
【図２】図１のＸ−Ｘ線から見た実施例１の内燃機関用ピストンの断面図である。
【図３】図１のＹ−Ｙ線から見た実施例１の内燃機関用ピストンにおけるオイル供給溝の拡大断面図である。
【図４】図１のＹ−Ｙ線から見た実施例２の内燃機関用ピストンにおけるオイル供給溝の拡大断面図である。
【図５】図１のＹ−Ｙ線から見た実施例３の内燃機関用ピストンにおけるオイル供給溝の拡大断面図である。
【図６】本発明に係る内燃機関用ピストンの実施例４を示す図であって、その内部側からピストンピン孔を見た図である。
【図７】図６のＺ−Ｚ線から見た実施例４の内燃機関用ピストンにおけるピストンピン孔の断面図である。
【符号の説明】
【００７１】
１  ピストン
３  ピストンピン孔
４  オイル供給溝
５  条痕溝
６  面取り部
１５ａ  条痕溝
１５ｂ  オイル保持溝
２５ａ  第１条痕溝
２５ｂ  第２条痕溝
３５  螺旋状の条痕溝
【図１】
2006009768.tif 000003
【図２】
2006009768.tif 000004
【図３】
2006009768.tif 000005
【図４】
2006009768.tif 000006
【図５】
2006009768.tif 000007
【図６】
2006009768.tif 000008
【図７】
2006009768.tif 000009